(57)【要約】      （修正有）【課題】ユーザによるタイマー設定作業を簡素化することができるタイマー設定装置を提供する。【解決手段】画面部２と、前記画面部２に複数表示され、それぞれが互いに異なる外部装置の動作時刻を表示する動作時刻表示部４と、前記動作時刻表示部４に表示される動作時刻を変更するために操作される動作時刻変更部と、前記動作時刻変更部による変更対象を複数の前記動作時刻表示部４の中から選択するために操作される選択操作部と、前記外部装置を前記動作時刻表示部４に表示された動作時刻に動作させるか否かを確定するために操作される確定操作部と、前記確定操作部による確定情報に基づき、前記動作時刻表示部４に表示された時刻になると外部装置に対して動作信号を出力する信号出力部と、を有するタイマー設定装置。【選択図】図１
2016008825.tif 000002
【特許請求の範囲】
【請求項１】
画面部と、
前記画面部に複数表示され、それぞれが互いに異なる外部装置の動作時刻を表示する動作時刻表示部と、
前記動作時刻表示部に表示される動作時刻を変更するために操作される動作時刻変更部と、
前記動作時刻変更部による変更対象を複数の前記動作時刻表示部の中から選択するために操作される選択操作部と、
前記外部装置を前記動作時刻表示部に表示された動作時刻に動作させるか否かを確定するために操作される確定操作部と、
前記確定操作部による確定情報に基づき、前記動作時刻表示部に表示された時刻になると外部装置に対して動作信号を出力する信号出力部と、
を有するタイマー設定装置。
【請求項２】
前記動作時刻変更部及び前記選択操作部は、十字形状の押しボタンによって構成されていることを特徴とする請求項１に記載のタイマー設定装置。
【請求項３】
前記押しボタンは、該タイマー設定装置の筺体の天面に形成されていることを特徴とする請求項２に記載のタイマー設定装置。
【請求項４】
前記画面部には、前記選択操作部により選択された変更対象を特定するためのカーソルが表示可能であり、
前記カーソルは、対応する前記動作時刻表示部と隣り合う位置に表示されることを特徴とする請求項１乃至３のうちいずれか一つに記載のタイマー設定装置。
【請求項５】
前記画面部には、前記確定操作部による確定結果が表示可能であり、
前記確定結果は、対応する前記動作時刻表示部と隣り合う位置に表示されることを特徴とする請求項１乃至４のうちいずれか一つに記載のタイマー設定装置。
【請求項６】
所定時刻になるとアラーム音を発する目覚まし時計機能を有することを特徴とする請求項１乃至５のうちいずれか一つに記載のタイマー設定装置。
【発明の詳細な説明】
【技術分野】
【０００１】
この実施形態は、タイマー設定装置に関するものである。
【背景技術】
【０００２】
一般の家庭では、旅行などの長期不在時に、防犯の為に２４時間タイマーなどを使って電気スタンドなどを点灯、消灯させ、あたかも在宅中であるかのように演出している。また、夜間にカーテンが開いたままの部屋へ帰宅することに不安を感じる一人暮らしの女性も存在する。
【発明の概要】
【発明が解決しようとする課題】
【０００３】
現在市場に出回っている家電製品には、設定された時刻になると所定の動作を開始するタイマー機能が搭載されているものもあるが、上記問題を解決するためには複数のタイマーが必要で、それぞれの操作も違うので忙しい外出時のタイマーセットや、帰宅後に疲労が蓄積した状態でタイマー解除することが非常に複雑で面倒である。また、多くの電化製品では、タイマー設定時間表示を他の時間や他の動作に兼用するものが殆どで、設定時間が見えなくなることで設定した時間を正しい時間に設定したか使用者に不安を与えることが多い。
【０００４】
そこで、本発明は、ユーザによるタイマー設定作業を簡素化することを目的とする。
【課題を解決するための手段】
【０００５】
上記課題を解決するために、本願発明に係るタイマー設定装置は、（１）画面部と、前記画面部に複数表示され、それぞれが互いに異なる外部装置の動作時刻を表示する動作時刻表示部と、前記動作時刻表示部に表示される動作時刻を変更するために操作される動作時刻変更部と、前記動作時刻変更部による変更対象を複数の前記動作時刻表示部の中から選択するために操作される選択操作部と、前記外部装置を前記動作時刻表示部に表示された動作時刻に動作させるか否かを確定するために操作される確定操作部と、前記確定操作部による確定情報に基づき、前記動作時刻表示部に表示された時刻になると外部装置に対して動作信号を出力する信号出力部と、を有する。
【０００６】
（２）前記動作時刻変更部及び前記選択操作部は、十字形状の押しボタンによって構成されていることを特徴とする（１）に記載のタイマー設定装置。
【０００７】
（３）前記押しボタンは、該タイマー設定装置の筺体の天面に形成されていることを特徴とする（２）に記載のタイマー設定装置。
【０００８】
（４）前記画面部には、前記選択操作部により選択された変更対象を特定するためのカーソルが表示可能であり、前記カーソルは、対応する前記動作時刻表示部と隣り合う位置に表示されることを特徴とする（１）乃至（３）のうちいずれか一つに記載のタイマー設定装置。
【０００９】
（５）前記画面部には、前記確定操作部による確定結果が表示可能であり、前記確定結果は、対応する前記動作時刻表示部と隣り合う位置に表示されることを特徴とする（１）乃至（４）のうちいずれか一つに記載のタイマー設定装置。
【００１０】
（６）所定時刻になるとアラーム音を発する目覚まし時計機能を有することを特徴とする（１）乃至（５）のうちいずれか一つに記載のタイマー設定装置。
【発明の効果】
【００１１】
本発明によれば、ユーザによるタイマー設定作業を簡素化することができる。
【図面の簡単な説明】
【００１２】
【図１】本実施形態に係るタイマー設定装置の正面図である。
【図２】本実施形態に係るタイマー設定装置の背面図である。
【図３】本実施形態に係るタイマー設定装置の天面図である。
【図４】本実施形態に係るタイマー設定装置の動作を示すフローチャートである。
【発明を実施するための形態】
【００１３】
以下、本実施形態について図面を参照して詳細に説明する。
【００１４】
図１は、本実施形態に係るタイマー設定装置の正面図である。
【００１５】
図２は、本実施形態に係るタイマー設定装置の背面図である。
【００１６】
図３は、本実施形態に係るタイマー設定装置の天面図である。
【００１７】
タイマー設定装置１は、画面部２を備える。画面部２には、現在時刻表示部３及び動作時刻表示部４がデジタル的に表示される。これらの表示部３、４に表示された時刻情報は、多数のデジタル表示素子が集合することで構成される。
【００１８】
現在時刻表示部３には、現在時刻が表示される。タイマー設定装置１が、いわゆる電波時計としての機能を有する場合には、受信した電波に基づく時刻情報が現在時刻表示部３に表示される。本実施形態では、現在時刻表示部３をデジタル表示としているが、アナログ表示にしてもよい。
【００１９】
動作時刻表示部４には、タイマー設定装置１とは異なる外部装置の動作時刻が表示される。動作時刻表示部４は、複数（本実施形態では４つ）の異なる表示部から構成され、図中左側から右側に向かって第１の動作時刻表示部４ａ、第２の動作時刻表示部４ｂ、第３の動作時刻表示部４ｃ、第４の動作時刻表示部４ｄの順序で配列されている。これらの表示部４ａ〜４ｄに表示される時刻表示の大きさは、現在時刻表示部３に表示される時刻表示よりも小さい。
【００２０】
第１の動作時刻表示部４ａに表示される時刻は、カーテンの開く時刻を示している。第２の動作時刻表示部４ｂに表示される時刻は、カーテンの閉じる時刻を示している。第３の動作時刻表示部４ｃに表示される時刻は、照明の点灯時間を示している。第４の動作時刻表示部４ｄに表示される時刻は、照明の消灯時間を示している。
【００２１】
タイマー設定装置１を用いてカーテンの開閉時刻、照明の点灯及び消灯時刻を調節することにより、防犯効果を高めることができる。例えば、タイマーを使って毎朝、カーテンを開けて、夕方にカーテンを閉めて部屋が暗くなる前に照明を点灯させて、寝る時間に照明を消す事により在宅中のように見せるかけることができるため、防犯効果を高めることができる。また、一人暮らしの女性が家に帰宅する前に、カーテンを閉じて室内ライトを点灯させることにより、カーテンの開いた暗い家のドアを開ける不安を解消することができる。
【００２２】
本実施形態では、二つの異なる外部装置をタイマーで動作させる場合について説明するが、本発明はこれに限るものではなく、三つ以上の異なる外部装置を動作させる場合にも本願発明は適用することができる。この場合、当該外部装置の動作時刻を設定するための動作時刻表示部を追加する必要がある。例えば、三つ目の電気機器として、音声出力可能なオーディオ機器を用いることができる。この場合、オーディオ機器の音声出力時刻が表示される動作時刻表示部と、オーディオ機器の音声出力停止時刻が表示される動作時刻表示部を追加することができる。住人が帰宅する前に、カーテンを閉じた状態で室内ライトを点灯させるとともに、オーディオ機器から音声出力を行うことにより、さらに防犯効果を高めることができる。
【００２３】
カーソル部５は、現在時間と動作時刻表示部４の時刻を変更する際に用いられる。カーソル部５は、現在時刻表示部３の上部、第１〜第４の動作時刻表示部４ａ〜４ｄのうちいずれか一つの表示部の下に直線状に表示され、この表示部に表示された時刻を変更することができる。図示例では、第２の動作時刻表示部４ｂの下にカーソル５が表示されており、第２の動作時刻表示部４ｂに表示される時刻、つまり、カーテンの閉じる時刻を変更できる状態となっている。カーソル部５が動作時刻表示部４の隣り合う位置に表示されることで、ユーザは、動作時刻の変更対象を視覚を通じて容易に判別することができる。
【００２４】
従来、家電製品のリモコンは機器ごとに独立していたため、ユーザは、複数のリモコンの中からタイマー設定を行うリモコンを探し当て、個々にタイマー設定を行わなければならなかった。本実施形態の構成によれば、複数の家電製品のタイマー設定を一つの装置で行うことができる。したがって、複数のリモコンの中からタイマー設定を行うリモコンを探す必要がなくなる。しかも、タイマー装置は、目覚まし時計を兼ねているため、枕元に自然と置かれる。したがって、床に入った後に、その場でタイマー設定を行うこともできる。
【００２５】
カーソル部５は、図３に図示する十字ボタン１９（図３を参照）の右ボタン１９bおよび左ボタン１９dを押し込むことによって動かすことができる。すなわち、図１に図示する状態で、右ボタン１９bを押すと、カーソル部５は第２の動作時刻表示部４ｂの下側から第３の動作時刻表示部４ｃの下側に移動し、照明の点灯時間を変更できる状態に切り替わる。
【００２６】
動作時刻表示部４に表示される時刻は、十字ボタン１９の上ボタン１９aおよび下ボタン１９ｃを押し込むことによって変更することができる。上ボタン１９ａを押し込むと、時刻が１分ずつ進み、２４時５９分を過ぎると、１時００分に戻る。下ボタン１９ｃを押し込むと、時刻が１分ずつ戻り、１時００分を過ぎると、２４時５９分に戻る。
【００２７】
また、カーソル部５は、タイマー設定装置１の背面に位置するタイマーセットスイッチ部１５をオンすることで表示される。したがって、タイマーセットスイッチ部１５をオフにしている場合には、カーソル部５は表示されないため、動作時刻表示部４に表示される時刻を変更することができない。なお、カーソル部５は、必ずしも必須の構成ではない。例えば、時刻を変更可能な動作時刻表示部４を他の動作時刻表示部４とは異なる色で発光させたり、或いは点滅させることで変更対象を特定できるようにしてもよい。
【００２８】
実行確認表示部６は、動作時刻表示部４ａ〜４ｄごとに設けられており、動作をアクティブに設定する場合に点灯し、動作をパッシブに設定する場合に消灯する。つまり、図１の例では、第１の動作時刻表示部４ａ及び第２の動作時刻表示部４ｂに対応する実行確認表示部６が点灯しているため、カーテンはアクティブ状態にあり、カーテンは８時に開き、１８時に閉じる。一方、第３の動作時刻表示部４ｃ及び第４の動作時刻表示部４ｄに対応する実行確認表示部６が消灯しているため、照明はパッシブ状態にあり、点灯動作が行われない。
【００２９】
動作のアクティブ状態は、実行スイッチ部１１を操作することにより、切り替えることができる。すなわち、図１の左端部に位置する実行スイッチ部１１を操作して、第１の動作時刻表示部４ａに対応する実行確認表示部６を点灯（特許請求の範囲に記載の「確定結果」に相当する）させることで、カーテンの開く動作をアクティブにすることができる。図１の左から二番目に配置された実行スイッチ部１１を操作して、第２の動作時刻表示部４ｂに対応する実行確認表示部６を点灯させることで、カーテンの閉じる動作をアクティブにすることができる。図１の左から三番目の実行スイッチ部１１を操作して、第３の動作時刻表示部４ｃに対応する実行確認表示部６を点灯させることで、照明の点灯動作をアクティブにすることができる。図１の右端部に位置する実行スイッチ部１１を操作して、第４の動作時刻表示部４ｄに対応する実行確認表示部６を点灯させることで、照明の消灯動作をアクティブにすることができる。実行スイッチ部１１によって、特許請求の範囲に記載の確定操作部が構成される。
【００３０】
信号出力部３０は、実行スイッチ部１１による確定情報に基づき、動作時刻表示部４に表示された時刻になると外部装置に対して動作信号を出力する。図１の例では、第１の動作時刻表示部４ａ及び第２の動作時刻表示部４ｂに対応する実行確認表示部６が点灯しているため、これらに対応するカーテンの開き動作及び閉じ動作がアクティブに設定されている。したがって、信号出力部３０からカーテンを開けるための動作信号が８時に出力される。また、信号出力部３０からカーテンを閉じるための動作信号が１８時に出力される。
【００３１】
セット表示部７は、画面部２における現在時刻表示部３の右側に現在時刻表示部３よりも小さく表示されており、セットスイッチをＯＮにするとアルファベットで「ＳＥＴ」と表示される。セット表示部７に「ＳＥＴ」と表示されている時に限り時刻の設定操作を行うことができる。
【００３２】
電池残量表示部８は、セット表示部７の右側に現在時刻表示部３よりも小さく表示されており、電池１８の電池残量を表示する。電池残量表示部８は、いわゆる円筒型電池を模した形状に形成されており、電池残量が少なくなると、表示される。
【００３３】
アラーム確認表示部９は、ベルの形を模した形状に形成されており、セット確認表示部７と同様に画面部２における現在時刻表示部３の右側に現在時刻表示部３よりも小さく表示されており、アラーム機能が設定されているか否かを表示する。
【００３４】
電波受信表示部１０は、アラーム確認表示部９の右側に現在時刻表示部３よりも小さく表示されており、後述する電波強制受信ボタン１６を押し込むことによる現在時刻の誤差修正が開始されると点灯表示され、現在時刻の誤差修正が終わると消灯する。
【００３５】
図２を参照して、タイマーセットスイッチ部１５は、前述した通り、スイッチをオンすることによりタイマー設定の変更が可能になるとともに、動作時刻表示部４（図１を参照）の下にカーソル部５が表示される。なお、タイマーセットスイッチ部１５の位置、大きさ、デザインは図示例に限られることはない。
【００３６】
アラームセットスイッチ部１４は、スイッチをオンにすることによりアラーム機能がオンになり、画面部２におけるアラーム確認表示部９が点灯する。
【００３７】
電波強制受信ボタン部１６は、ユーザがボタンを押すことにより強制的に電波を受信し、時刻の誤差を自動的に修正する。
【００３８】
第１調節ボタン部１２は、第１アップボタン１２ａ及び第１ダウンボタン１２ｂから構成される。第１アップボタン１２ａを押すことにより、室内ライトの照度をアップすることができる。第１ダウンボタン１２ｂを押すことにより、室内ライトの照度をダウンすることができる。第２調節ボタン部１３は、第２アップボタン１３ａ及び第２ダウンボタン１３ｂから構成される。第２アップボタン１３ａを押すことにより、カーテンを開き方向に動作させることができる。第２ダウンボタン１３ｂを押すことにより、カーテンを閉じ方向に動作させることができる。
【００３９】
なお、第１調節ボタン部１２および第２調節ボタン部１３の形状、位置、大きさ、デザインは本実施形態に限定されるものではなく、例えば回転式の無段階調整ボリュームスイッチを用いることもできる。
【００４０】
ブザー穴部１７は、タイマー設定装置１の内部に設置された音声出力装置から出力されるアラーム音の通過孔である。
【００４１】
電池１８は、タイマー設定装置１に実装される各部に作動電力を供給する。電池１８には、マンガン電池等の一次電池、ニッケル水素電池、リチウムイオン電池などの二次電池を用いることができる。本実施形態では、いわゆる円筒型形状の電池を用いることができるが、ボタン型の電池などを用いることもできる。
【００４２】
十字ボタン１９は、上述したように、上ボタン部１９a、右ボタン部１９b、下ボタン部１９c、左ボタン部１９dから構成される。上述したように、上ボタン部１９a及び下ボタン部１９cは、動作時刻表示部４に表示される時刻と現在時間を変更するために操作される。右ボタン部１９b及び左ボタン部１９dは、上述したように、カーソル部５を所望の動作時刻表示部４に対応する位置に移動させるために操作される。十字ボタン１９によって、特許請求の範囲に記載の動作時刻変更部及び選択操作部が構成される。
【００４３】
十字ボタン１９の形状としては、十字の形状に限られず、上ボタン部１９a、右ボタン部１９ｂ、下ボタン部１９ｃ、左ボタン部１９ｄを互いに離隔させ、独立したボタンにすることもできる。十字ボタン１９は、タイマー設定装置１の筐体の天面に設けることができる。
【００４４】
スヌーズボタン２０は、タイマー設定装置１の天面おいて、十字ボタン１９の横に配置されている。スヌーズ機能とは、目覚まし時計などで、いったんアラームのスイッチを切ってもしばらく時間が経つとアラームが鳴るようにする機能である。タイマー設定装置１では、スヌーズボタン２０を押してアラーム通知音を停止させてから所定時間経過後に再びアラーム通知音が出力される。
【００４５】
次に、図４のフローチャートを参照しながら、タイマー設定装置の操作方法について説明する。図４のフローチャートは、タイマー設定装置に実装されたコントローラ（例えば、ｃｐｕ）によって実行される。Act１において、ユーザがセットスイッチ部１５をオンにすると処理はAct２に進む（Act１Yes）、ユーザがセットスイッチ部１５をオフにすると、処理はAct２には進まない（Act１No）。
【００４６】
Act２において、コントローラはタイマー設定装置１においてタイマー設定を行うことを可能とし、画面部２上の動作時刻表示部４の下にカーソル部５を表示させる。
【００４７】
Act３において、ユーザが十字ボタン部１９における右ボタン部１９b又は左ボタン部１９ｄを押し込むことで、動作時刻の変更対象を選択することができる。例えば、図１に図示する状態において、第２の動作時刻表示部４bの下に表示されたカーソル部５は、ユーザが右ボタン部１９bを押すことにより第３の動作時刻表示部４cの下に移動し、左ボタン部１９dを押すことにより第１の動作時刻表示部４ａの下に移動する。
【００４８】
Act４において、ユーザは、十字ボタン部１９における上ボタン１９a又は下ボタン１９ｃを押すことで、選択された動作時刻を変更することができる。本実施形態においては、動作時刻は分単位で設定することができるが、これに限られることはなく、例えば秒単位で動作時刻を設定できるようにしてもよい。
【００４９】
Act５において、ユーザが所望の実行スイッチ部１１を押して実行確認表示部をオンにした場合（Act５、Yes）、コントローラはAct４で設定された時間になると信号出力部３０から動作信号を出力する（Act6）。
【００５０】
以上説明したように、本実施形態の構成によれば、一つのタイマー設定装置１を用いて、複数の外部装置のタイマー設定を行うことができる。個々の外部装置に応じたタイマー設定装置を準備する必要がないため、ユーザのタイマー設定作業を簡素化することができる。また、画面部２の表示内容からタイマーが設定された外部装置と、当該外部装置のタイマー設定時刻を確認することができる。しかも、これらの表示内容は、点灯しているため、暗闇の中でも視覚を通じて確認することができる。
【符号の説明】
【００５１】
１  タイマー設定装置、２  画面部、３  時刻表示部、４  設定時刻表示部、５  カーソル部、６  実行確認表示部、７セット表示部、８電池交換表示、９アラーム確認表示部、１０電波受信表示部、１１  実行スイッチ部、１２  第１調整ボタン部、１３  第２調整ボタン部、１４アラームセットスイッチ、１５セットスイッチ部、１６電波強制受信ボタン部、１７ブザー穴部、１８電池、１９十字ボタン部、２０スヌーズボタン、３０  信号出力部
【図１】
2016008825.tif 000003
【図２】
2016008825.tif 000004
【図３】
2016008825.tif 000005
【図４】
2016008825.tif 000006